(57)【特許請求の範囲】
【請求項１】
支柱に上下方向に並ぶ複数の係止孔を設け、この係止孔に棚受けブラケットを係止し、この棚受けブラケットに棚板を載置するようにした棚装置において、
棚板とほぼ平行をなすフェンスの両端部に設けた垂直杆が、垂直軸まわりに回動しうるような寸法とした上下方向の挿入孔を有するフェンス取付具に形成した係止片を、前記支柱の係止孔に係止するとともに、棚板とほぼ平行をなすフェンスの両端部に設けた垂直杆を、前記挿入孔に挿入することにより、前記棚板の縁部に沿ってフェンスを取り付けたことを特徴とする棚装置における物品の転落防止装置。
【請求項２】
挿入孔を、左右方向に長い長孔とした請求項１記載の棚装置における物品の転落防止装置。
【請求項３】
フェンスを、ワイヤーフェンスとした請求項１または２に記載の棚装置における物品の転落防止装置。
【発明の詳細な説明】
【０００１】
【発明の属する技術分野】
本発明は、支柱に設けた係止孔に棚板ブラケットを係止し、この棚板ブラケットにより棚板を支持するようにした棚装置における転落防止装置に関する。
【０００２】
【従来の技術】
従来の棚装置における物品の転落防止装置としては、棚板上面に取付孔等を設けて、フェンスを棚板に直接取り付けるか、或いは支柱の係止孔を利用して、フェンスを左右の支柱間に直接架設するものがある。
【０００３】
【発明が解決しようとする課題】
しかし、フェンスは、使用者の好みによって、棚板に取り付ける場合と取り付けない場合とがあり、上記のように棚板に取付孔等を加工してしまうと、フェンスを取り付けない場合に、棚装置の体裁を損なうことになる。
【０００４】
このような問題を回避するためには、フェンス付きの棚板と、フェンス無しの棚板とを予め用意しておけばよいが、このようにすると、棚装置の製造コストが高くなる。
【０００５】
また、支柱の係止孔を利用してフェンスを支柱間に直接架設しようとすると、フェンスの両端部の加工が複雑となるばかりでなく、直線部の棚板用のフェンスとコーナー部の棚板用のフェンスとでは、支柱の係止孔に対するフェンスの向きが異なるので、係止片の向きが異なる多種類のフェンスを用意しなければならず、製造コスが高くなる。
【０００６】
本発明は、従来の技術が有する上述のような問題点に鑑みてなされたもので、フェンスを取り付けない場合に、棚装置の体裁を損なうことがなく、またフェンスを様々な態様で取り付けることができるとともに、構造が簡単で、安価に製造できるようにした棚装置における物品の転落防止装置を提供することを目的としている。
【０００７】
【課題を解決するための手段】
本発明によると、上記課題は、次のようにして解決される。
(１)  支柱に上下方向に並ぶ複数の係止孔を設け、この係止孔に棚受けブラケットを係止し、この棚受けブラケットに棚板を載置するようにした棚装置において、棚板とほぼ平行をなすフェンスの両端部に設けた垂直杆が、垂直軸まわりに回動しうるような寸法とした上下方向の挿入孔を有するフェンス取付具に形成した係止片を、前記支柱の係止孔に係止するとともに、棚板とほぼ平行をなすフェンスの両端部に設けた垂直杆を、前記挿入孔に挿入することにより、前記棚板の縁部に沿ってフェンスを取り付ける。
【０００８】
(２)  上記(１)項において、挿入孔を、左右方向に長い長孔とする。
【００１０】
(３)  上記(１)または(２)において、フェンスを、ワイヤーフェンスとする。
【００１１】
【発明の実施の形態】
以下、本発明の一実施例を添付図面を参照しながら説明する。
【００１２】
図１は、本発明の一実施例を備えた棚装置の要部を後方から見た斜視図である。
【００１３】
棚装置(１)は、複数の中空の円形支柱(２)を、横方向に適宜の間隔をもって複数本配設し(図では２本のみ図示)、各支柱(２)の後面に、複数の係止孔(３)を上下方向に並べて設け、この係止孔(３)に、後方に向かって延出する左右２個の棚板ブラケット(４)(５)の前端に設けた上下２個ずつの下向きＬ字形の係止片(６)(６)を互いに左右に重合して係合し、隣合う支柱(２)の棚板ブラケット(４)(５)上に棚板(７)(８)の両端部を載置し、かつ必要に応じて、棚板(７)(８)を、棚板ブラケット(４)(５)または壁(図示略)にねじ止め等により固定したものである。
【００１４】
この実施例では、棚板(７)は、壁と平行な平面視長方形の直線部用のものとし、また棚板(８)は、平面視正方形の内隅を切り落として五角形としたコーナー部用のものとしてある。
【００１５】
(11)(11')は、金属の棒材を折曲して形成したフェンス(９)(10)を、棚板(７)(８)の前縁部に取り付けるためのフェンス取付具である。
【００１６】
左右のフェンス取付具(11)(11')は、互いに左右対称であり、前端上部に上向きの係止片(13)を有する基片(12)の外側面に、正面視コ字形をなす支持片(14)を固着したものである。
【００１７】
支持片(14)の上片(15)及び下片(16)には、互いに上下に整合する左右方向に長い挿入孔(17)が穿設されている。
【００１８】
図３に拡大して示すように、係止片(13)の下面は、基片(12)と係止片(13)とが交わる角部を中心とする弧状となっており、弧の径は、係止孔(３)の上下寸法と等しくなっている。
フェンス取付具(11)(11')の係止片(13)を水平にして、それを係止孔(３)内に挿入した後、基片(12)を下向き(図３の矢線方向)に回動させることにより、フェンス取付具(11)(11')を、支柱(２)に簡単に取り付けることができる。この際、弧の径を係止孔(３)の上下寸法と等しくしてあるので、一旦取り付けたフェンス取付具(11)(11')が、係止孔(３)から妄りに抜け出すことはない。
【００１９】
左右のフェンス取付具(11)(11')の内側面同士を密接させて、支柱(２)に取り付けた後、フェンス(９)(10)の両端部に形成された垂直杆(9a)(10a)を、上方から長孔(17)にそれぞれ挿通することにより、フェンス(９)(10)を、棚板(７)(８)から上方にやや離間させた状態で、棚板(７)(８)の前縁に沿って取り付けることができる。
【００２０】
図２に示すように、左側のフェンス取付具(11)の挿入孔(17)とフェンス(10)とは、互いに異なる方向を向いているので、垂直杆(10a)の挿入孔(17)への挿入位置を調整することにより、左側の棚板(８)の前縁とフェンス(10)との距離(Ｌ１)を変えることができる。
【００２１】
本実施例では、垂直杆(10a)を挿入孔(17)の左端部に係合させることにより、左側の棚板(８)の前縁とフェンス(10)との距離(Ｌ１)と、右側の棚板(７)の前縁とフェンス(９)との距離(Ｌ２)とを同一として、棚装置(１)の体裁を向上させている。
【００２２】
右側のフェンス(９)の中間部に設けられたＶ字形の折曲部(9b)は、その下端が棚板(７)の上面に接することにより、フェンス(９)の中間部が垂れ下がらないようにするものである。
【００２３】
このように本実施例では、支柱(２)の係止孔(３)を利用して、フェンス(９)(10)を取り付けるので、棚装置(１)に新たな加工を施す必要がなく、フェンス(９)(10)の不使用時に、棚装置(１)の体裁が損なわれることがない。
【００２４】
また、挿入孔(17)に挿入された垂直杆(9a)(10a)は、挿入孔(17)内において、自由に回動できるので、本実施例のように、棚板(７)(８)の前縁が互いに異なる方向を向いていても、１種類のフェンスで対応できる。
【００２５】
フェンス取付具(11)(11')の孔は、長孔でなくとも、垂直杆(9a)(10a)が自由に回動しうる寸法であれば、丸孔その他の形状のものであってもよい。
【００２６】
フェンス(９)(10)は、丸棒材よりなるワイヤーフェンスに限らず、端部に垂直杆を設けてあれば、他の種類のものでもよい。
【００２７】
さらに、図４に示すように、左右の支柱(２)(２)間より前方に突出するオーバーハング部(18a)を有する棚板(18)用のフェンス(19)のおいては、その両側部に後向折曲部(19a)を形成し、その後端に垂直杆(19b)を連設して、それをフェンス取付具(11)(11')の挿入孔(17)に挿入すればよい。(19c)は、上述のフェンス(９)の折曲部(9b)と同様のＶ字状の折曲部である。
【００２８】
【発明の効果】
請求項１記載の発明によると、次のような効果を奏することができる。
(ａ)  棚装置にフェンス取り付け用の特別の加工を施す必要がないので、フェンスの不使用時に、棚装置の体裁が損なわれることがなく、また、フェンスを棚板の縁部に沿って簡単に取り付けることができる。
【００２９】
(ｂ)  フェンスの両端部に垂直杆を設けるだけでよいので、フェンス自体の製造が簡単であり、製造コストを低くすることができる(請求項１)。
【００３０】
(ｃ)  フェンス取付具に対するフェンスの向きを変えることができるので、様々な方向を向く棚板の縁部に沿って、同一種類のフェンスを向きを変えて取り付けることができ、多種類のフェンスを必要としないので、製造コストを低くすることができる。
【００３１】
請求項２記載の発明によると、挿入孔は長孔であるので、それに挿入するフェンスの垂直杆の位置を若干ずらすことができ、それによって、複数の棚板がそれぞれ別方向を向いていても、全ての棚板において、フェンスと棚板の縁部との距離を同一とすることができる。
【００３２】
請求項３記載の発明によれば、ワイヤーの端部を折曲するだけで、垂直杆を形成できるので、フェンスの製造コストを著しく低くすることができる。
【図面の簡単な説明】
【図１】  本発明の一実施例を備える棚装置を後方から見た斜視図である。
【図２】  同じく棚装置の要部の横断平面図ある。
【図３】  同じくフェンス取付具の要部の拡大側面図である。
【図４】  同じく異なるタイプの棚板用のフェンスを用いた場合の要部の前方斜視図である。
【符号の説明】
(１)棚装置
(２)支柱
(３)係止孔
(４)(５)棚板ブラケット
(６)係止片
(７)(８)棚板
(９)フェンス
(9a)垂直杆
(9b)折曲部
(10)フェンス
(10a)垂直杆
(11)(11')フェンス取付具
(12)基片
(13)係止片
(14)支持片
(15)上片
(16)下片
(17)挿入孔
(18)棚板
(19)オーバーハング部
(20)フェンス
(19a)後向折曲部
(19b)垂直杆
(19c)折曲部
【図１】
0003677664.tif 000002
【図２】
0003677664.tif 000003
【図３】
0003677664.tif 000004
【図４】
0003677664.tif 000005